(57)【要約】【課題】折り畳み部の信号線数を少なくしてワイヤハーネスを簡素化し、表示処理のための消費電力を低減すると共に、本体部のＣＰＵの負担を低減することができる、表示部を有する携帯通信機器を提供すること。【解決手段】表示部Ａと、ＣＰＵを含み信号処理を行う本体部Ｂとが折り畳み部Ｃで結合される。この折り畳み型の携帯機器の表示部に、表示パネル２と、カメラ３と、そのカメラからの撮影画像データを受け、画像処理を施して、表示部に表示画像データを直接に供給する画像処理手段２７を設ける。そして、本体部から表示部に、あるいは表示部から本体部に、画像データを含むデータを供給する場合に、ＣＰＵと前記画像処理手段間でのデータ送受機能をイネーブルにする。【選択図】　　　　図１
2004088750.tif 000002
【特許請求の範囲】
【請求項１】
表示器を有する表示部と、ＣＰＵを含む信号処理装置を有する本体部と、前記表示部と前記本体部とを相対的に変位させる結合部とを備えた携帯通信機器において、
前記表示部は、更に、画像入力手段と、該画像入力手段からの画像データを受け、画像処理を施して、前記表示器に表示画像データを供給する画像処理手段を有し、前記本体部から前記結合部を通じて前記表示部に、あるいは前記表示部から前記結合部を通じて前記本体部に、画像データを含むデータを供給する場合にのみ、前記信号処理装置と前記画像処理手段間でのデータ送受を可能にすることを特徴とする携帯通信機器。
【請求項２】
表示器を有する表示部と、ＣＰＵを含む信号処理装置を有する本体部と、前記表示部と前記本体部とを折り畳み可能に結合する折り畳み部とを備えた携帯通信機器において、
前記表示部は、更に、画像入力手段と、該画像入力手段からの画像データを受け、画像処理を施して、前記表示器に表示画像データを供給する画像処理手段を有し、前記本体部から折り畳み部を経由し前記表示部に、あるいは前記表示部から折り畳み部を経由し前記本体部に、画像データを含むデータを供給する場合にのみ、前記信号処理装置と前記画像処理手段間でのデータ送受を可能にすることを特徴とする携帯通信機器。
【請求項３】
請求項１または２記載の携帯通信機器において、前記画像データは前記表示データの中で、画像リフレッシュレートが相対的に低い画像データであることを特徴とする。
【請求項４】
請求項１または２記載の携帯通信機器において、前記画像データは前記表示データの中で、画像伝送速度が相対的に低速度である画像データであることを特徴とする。
【請求項５】
表示パネル手段と、着信報知手段と、前記表示パネル手段に表示すべき、着信画像データ及び前記着信画像データの表示を制御する第一着信時データを含む画面表示データが書き込み読み出しされる表示データ記憶手段と、前記着信報知手段に供給される、第二着信時データを含む報知データが書き込み読み出しされる報知データ記憶手段と、前記画面表示データ及び前記報知データを、前記表示データ記憶手段及び前記報知データ記憶手段へ書き込み或いはそれらから読み出すように制御する制御処理手段を有し、前記表示データ記憶手段に記憶される前記画面表示データのアドレスと、前記報知データ記憶手段に記憶される前記報知データのアドレスを、アドレス空間上で連続アドレスとして割り付けたことを特徴とする、携帯通信機器。
【請求項６】
請求項５記載の携帯通信機器において、前記着信報知手段はＬＥＤから構成されることを特徴とする。
【請求項７】
請求項５記載の携帯通信機器において、前記着信報知手段はバイブレータから構成されることを特徴とする。
【請求項８】
請求項５記載の携帯通信機器において、前記着信報知手段はＬＥＤ及びバイブレータから構成されることを特徴とする。
【請求項９】
請求項５記載の携帯通信機器において、前記第一着信時データ及び前記第二着信時データとをアドレス空間上で隣接させたことを特徴とする。
【発明の詳細な説明】
【０００１】
【発明の属する技術分野】
本発明は、表示部を有する折り畳み型携帯電話、及び着信時に複数の異なる形態によって、着信したことを知らせるようにした携帯電話やＰＤＡ等の通信装置などの携帯機器に関する。
【０００２】
【従来の技術】図３は、一般的な折り畳み型携帯電話の外観を例示する図であり、開いた状態を図３（ａ）に、折り畳んだ状態を図３（ｂ）に示している。この携帯電話は、ＬＣＤ（液晶表示）パネル側部Ａと、本体部Ｂと、これらを折り畳み可能に結合する折り畳み部Ｃとから構成されている。
【０００３】
ＬＣＤパネル側部Ａには、開いたときに見えるようにその内面側に主ＬＣＤパネル２が設けられており、その外面側に、アンテナ１、高感度モバイルカメラ３、映る範囲が画像に収まる目安になるポジショニングミラー４、着信情報などを表示するためのＬＥＤ（発光ダイオード）ディスプレイ５、電話の着信やメール受信、日付、時刻などを表示するための副ＬＣＤパネル６等が設けられている。また、本体部Ｂには、キー操作部９が設けられている。
【０００４】
図４は、図３に示されるような折り畳み型携帯電話の、従来のブロック構成を示す図である。
【０００５】
図４において、本体部Ｂには、アンテナ１を介して、データ等を送受信するための送受信部１１と、音声信号を処理するためのオーディオ処理部１２と、主に携帯電話としての通信機能の処理を行うコミュニケーションＣＰＵ１３（以下、Ｃ−ＣＰＵ）と、主にＬＣＤパネル２，６及びＬＥＤディスプレイ５の表示処理やカメラ３で撮影した画像の画像処理を行うアプリケーションＣＰＵ（以下、Ａ−ＣＰＵ）１４と、メモリ１５と、各構成要素に電力を供給する電源１６等を備えている。なお、Ｂｕｓは、バスラインである。また、メモリ１５は、ワークメモリとして機能するスタティックＲＡＭなどからなる揮発性メモリと、電話番号、メールアドレス等の固定情報を記憶するフラッシュメモリなどからなる不揮発性メモリを有している。
【０００６】
ＬＣＤパネル側部Ａには、ＬＣＤパネル２，６、カメラ３、ＬＥＤディスプレイ５とともに、ＬＣＤコントローラ７、ＬＥＤコントローラ８が設けられている。なお、副ＬＥＤパネル６は図示を省略している。
【０００７】
従来の携帯電話の内部構成について説明すれば、本体部ＢとＬＣＤパネル側部Ａとの間には、Ａ−ＣＰＵ１４とＬＣＤコントローラ７間に表示データ、アドレスデータや制御信号等のための信号線、Ａ−ＣＰＵ１４とＬＥＤコントローラ８間に表示データ、制御信号等のための信号線（例えば、３線シリアル通信方式）、に加えて、Ａ−ＣＰＵ１４とカメラ３間に画像データ、同期データ、制御信号などのための信号線（例えば、１６ビットデータの場合には合計２０本）を設けている。この他、電源線や送受信の信号線等が当然に設けられている。なお、カメラ３やＬＣＤコントローラ７との間の信号線は、Ａ−ＣＰＵ１４に直接結合することなく、バスラインＢｕｓを介してＡ−ＣＰＵ１４と結合する構成の場合もある。
【０００８】
さらには、着信時には、着信メロディ等の着信音を鳴らしたり、ＬＣＤ（液晶表示）パネルに着信表示を行わせるとともに、着信用のＬＥＤ（発光ダイオード）ディスプレイの発光を制御したり、バイブレータを駆動して振動させる等複数の異なる形態で着信したことを知らせるようにした携帯電話も知られている。
【０００９】
図５は、そのような例として、ＬＣＤコントローラ７の信号線がバスラインＢｕｓを介してＡ−ＣＰＵ１４と結合し、なおかつ着信を知らせるようにした、従来の携帯電話のブロック構成を示す図である。
【００１０】
図５の携帯電話は、アンテナを介してデータ等を送受信するための送受信部１１と、音声信号を処理するためのオーディオ処理部１２と、主に携帯電話としての通信機能の処理を行うコミュニケーションＣＰＵ（以下、Ｃ−ＣＰＵ）１３と、主にＬＣＤパネル２やＬＥＤディスプレイ５の表示処理や、機種によってはカメラ（図示せず）で撮影した画像の画像処理を行うアプリケーションＣＰＵ（以下、Ａ−ＣＰＵ）１４と、メモリ１５と、各構成要素に電力を供給する電源１６等を備えている。なお、Ｂｕｓは、バスラインである。メモリ１５は、ワークメモリとして機能するスタティックＲＡＭなどからなる揮発性メモリと、電話番号、メールアドレス等の固定情報を記憶するフラッシュメモリなどからなる不揮発性メモリを有している。
【００１１】
また、Ａ−ＣＰＵ１４は、ＬＣＤパネル２のバックライト用ＬＥＤや着信表示用などのＬＥＤディスプレイ５のコントロールを、ＬＣＤパネル２の表示コントロールとは別に、個別に別ルートで信号線７ｂ、６ｂを介して行う。これらのＬＥＤのコントロールは、Ａ−ＣＰＵ１４のシリアルＩ／Ｏのポートから、それぞれ例えば３線シリアル方式により行われる。
【００１２】
この従来の携帯電話において、着信があると、Ａ−ＣＰＵ１４はＬＣＤコントローラ７ａに着信を知らせるためのグラフィック画面データを送り、ＬＣＤパネル２にそのグラフィック画面を表示する。同時に、Ａ−ＣＰＵ１４はＬＣＤパネル２のバックライト用のＬＥＤを点灯するとともに、ＬＥＤコントローラ６ａを介してＬＥＤディスプレイ５の着信表示用ＬＥＤの点灯状態をコントロールする。
【００１３】
これにより、携帯電話の所持者は、着信したことを、ＬＣＤパネル２のグラフィック画面と着信表示用ＬＥＤの点灯状態とにより、確認する。
【００１４】
【発明が解決しようとする課題】このようにカメラつきの折り畳み型携帯電話では、ＬＣＤコントローラ７やＬＥＤコントローラ８との間の信号線に加えて、カメラ３との間の信号線が追加されるから、折り畳み部Ｃのワイヤハーネスが大きくなり、その構造上に問題を有していた。
【００１５】
また、カメラ３で撮影した画像をＬＣＤパネル２でモニタすることになるが、そのためにはある程度の高速度のリフレッシュレート（例えば、１５フレーム／秒）で画像を更新する必要がある。カメラ３の画素数は例えば３０数万画素であり、ＬＣＤパネル２の表示画面は例えば横１７６×縦２２０でありフルカラーで表示する。したがって、Ａ−ＣＰＵ１４ではカメラ３からの撮影画像データを受けて処理し、表示画像データをＬＣＤコントローラ７に送出するための処理負担が大きく、またバッファメモリなどを必要とする。更に、折り畳み部Ｃのワイヤハーネスには高速の信号（クロックや、画像データ）が通過するから、ワイヤハーネスの容量性負荷により、消費電力が増加してしまうという問題があった。
【００１６】
さらに、最近の携帯電話では、着信時の表示が、例えばＬＣＤパネルのグラフィック画面の変化をより早くしたり、着信表示用ＬＥＤの点灯状態がフルカラーで時間とともにその色調を変化させるなど、よりきめ細かく行われるようになってきている。
【００１７】
このために、表示制御を司るＡ−ＣＰＵ１４は着信時に、グラフィック用データをグラフィック画面の変化の早さに応じて更新してＬＣＤコントローラに供給し、また、ほぼ同時に、着信表示用ＬＥＤをフルカラーの色調で変化させるために、アクセスするアドレスをメモリアドレスからシリアルＩ／Ｏのアドレスに切り換えて、赤色（Ｒ），緑色（Ｇ）、青色（Ｂ）の３成分の制御データ（例えばＰＷＭ制御データ）を着信表示用ＬＥＤに供給する必要がある。
【００１８】
このように、Ａ−ＣＰＵ１４は、着信時にきめ細かく表示を行うために、その処理負担が重くなってきており、より高速度のＣＰＵを採用するなどその処理能力を向上することが求められている。
【００１９】
また、前記図５の例でいえば、Ａ−ＣＰＵ１４は、ＬＣＤパネル２のバックライト用ＬＥＤや着信表示用などのＬＥＤディスプレイ５をも個別に別ルートでコントロールしているから、その表示データのために、Ａ−ＣＰＵ１４のＩ／Ｏポートが専有されてしまうという問題も有している。
【００２０】
そこで、本発明は、折り畳み部Ｃの信号線数を少なくしてワイヤハーネスを簡素化し、かつ表示処理のための消費電力を低減すると共に、本体部のＣＰＵの負担を低減することができる、表示部を有する折り畳み型携帯機器を提供することを目的とする。
【００２１】
本発明のさらなる目的としては、着信時に複数の異なる形態によって着信したことを知らせるように着信制御を処理するＣＰＵの負担を軽減するとともに、そのＣＰＵが着信制御のために専有するポート数を減少させた、携帯電話等の通信装置を提供することである。
【００２２】
【課題を解決するための手段】本発明の第１の態様としての携帯通信機器は、表示器を有する表示部と、ＣＰＵを含む信号処理装置を有する本体部と、前記表示部と前記本体部とを相対的に変位させる結合部とを備えた携帯通信機器において、前記表示部は、更に、画像入力手段と、該画像入力手段からの画像データを受け、画像処理を施して、前記表示器に表示画像データを供給する画像処理手段を有し、前記本体部から前記結合部を通じて前記表示部に、あるいは前記表示部から前記結合部を通じて前記本体部に、画像データを含むデータを供給する場合にのみ、前記信号処理装置と前記画像処理手段間でのデータ送受を可能にすることを特徴とする。
【００２３】
これによれば、画像処理機能を集約した画像処理手段を表示部に設けて、画像入力手段（カメラ）と表示器（表示パネル）との間の信号転送を、本体部の信号処理装置（ＣＰＵ）を介さずに直接に行えるようにしているから、結合部Ｃのワイヤハーネスが小さくでき、また折り畳み部Ｃのワイヤハーネスを通過する高速度のデータが少なくなるので、容量性負荷による消費電力を低減することができる。
【００２４】
また、本体部と表示部間で、画像データを含むデータを供給する場合にのみ、その間でのデータ送受を可能にするから、画像データなどの送受信及び表示を支障なく行うことができる。
【００２５】
また、本発明の第２の態様としての携帯通信機器は、表示パネル手段と、着信報知手段と、前記表示パネル手段に表示すべき、着信画像データ及び前記着信画像データの表示を制御する第一着信時データを含む画面表示データが書き込み読み出しされる表示データ記憶手段と、前記着信報知手段に供給される、第二着信時データを含む報知データが書き込み読み出しされる報知データ記憶手段と、前記画面表示データ及び前記報知データを、前記表示データ記憶手段及び前記報知データ記憶手段へ書き込み或いはそれらから読み出すように制御する制御処理手段を有し、前記表示データ記憶手段に記憶される前記画面表示データのアドレスと、前記報知データ記憶手段に記憶される前記報知データのアドレスを、アドレス空間上で連続アドレスとして割り付けたことを特徴とする。
【００２６】
この通信装置によれば、異なる形式の記憶手段に記憶される、画面表示データと報知データとを、連続したアドレスに記憶させるから、制御処理手段はそれらのデータを一連の着信時データとして処理できる。したがって、制御処理手段の処理ステップが、アドレスを切り換える分だけ、従来のものより軽減される。
【００２７】
また、前記第一着信時データ及び前記第二着信時データとをアドレス空間上で隣接させた場合、表示パネル手段への着信時のグラフィックなどの画面表示と、着信報知手段への着信時の報知とを、同期して制御することが容易になる。
【００２８】
また、着信報知手段の制御を、制御処理手段から個別に別ルートで制御するのではなく、表示パネル手段に対する制御と同様に行うから、制御処理手段が着信制御のために専有するポート数が少なくなる。
【００２９】
【発明の実施の形態】
以下、本発明の第一の実施の形態に係る、携帯電話を例に、図１のシステム構成図ととともに、その外観図については、図３を参照して説明する。
【００３０】
図１において、携帯電話は、やはりＬＣＤパネル側部Ａと、本体部Ｂと、これらを折り畳み可能に結合する折り畳み部Ｃとから構成されており、その外観は図３に示した従来の携帯電話と同様である。
【００３１】
ここで、本体部Ｂには、アンテナ５を介して、データ等を送受信するための送受信部１１と、音声信号を処理するためのオーディオ処理部１２と、主に携帯電話としての通信機能の処理を行うＣ−ＣＰＵ１３と、主にＬＣＤパネル１やＬＥＤディスプレイ２の表示処理やカメラ３で撮影した画像処理を行うＡ−ＣＰＵ１４Ａと、メモリ１５と、各構成要素に電力を供給する電源１６等を備えている。なお、Ｂｕｓは、バスラインである。また、メモリ１５は、ワークメモリとして機能するスタティックＲＡＭなどからなる揮発性メモリと、電話番号、メールアドレス等の固定情報を記憶するフラッシュメモリなどからなる不揮発性メモリを有している。
【００３２】
しかしながら、内部構成については従来と異なり、本発明では、図１のように、ＬＣＤパネル側部Ａに主ＬＣＤパネル２、主ＬＣＤコントローラ２ａ、副ＬＣＤパネル６、副ＬＣＤコントローラ６ａ、カメラ３、ＬＥＤディスプレイ５等の他に、画像処理用ＬＳＩ２０が設けられている。
【００３３】
画像処理用ＬＳＩ２０は、画像処理機能を集約した画像処理手段であり、以下のような各構成要素を含んで構成されている。この画像処理用ＬＳＩ２０は、各構成要素毎或いは関連する構成要素でＬＳＩチップを形成し、それらを統合してシステムＬＳＩとしパッケージングしたものが好適である。
【００３４】
まず、カメラ３とのインターフェース（以下、Ｉ／Ｆ）を行うためのカメラＩ／Ｆ２１、及びこのカメラＩ／Ｆ２１を通った撮影画像データに、サイズ縮小処理、サイズ切り取り処理、輝度成分・ダイナミックレンジ変更処理などの画像調整を行うための画像調整部２２を備える。
【００３５】
また、ＬＣＤパネル２，６側とのＩ／Ｆを行うためのＬＣＤＩ／Ｆ２３が設けられており、またＬＥＤディスプレイ５のためのＬＥＤコントローラ２４が設けられている。なお、ＬＣＤパネル２，６には、ＬＣＤドライバが内蔵されており、さらに主及び副ＬＣＤコントローラ２ａ、６ａをそれぞれＬＣＤパネル２，６内に含ませることができる。逆に、主及び副ＬＣＤコントローラ２ａ、６ａをＬＳＩ２０内に設けるようにしてもよい。また、ＬＥＤディスプレイ５には、ＬＥＤドライバが内蔵されており、さらにＬＥＤコントローラ２４をＬＳＩ２０から除いて、ＬＥＤディスプレイ５内に含ませることができる。
【００３６】
また、カメラ画像や固定フレーム画像などをＬＣＤ表示用に記憶するフレームバッファや表示制御メモリとして使用されるＬＣＤ表示メモリ２５と、ＬＥＤディスプレイ５を制御するためのデータを格納するＬＥＤコントロールレジスタ２６とを備えている。このＬＣＤ表示メモリ２５は、ＲＡＭで構成される。
【００３７】
画像処理コントローラ２７は、これら各構成用途と結合され、またホストＩ／Ｆを介して本体部ＢのＡ−ＣＰＵ１４Ａと結合される。そして、カメラ３からの撮影画像データを画像調整など行った上で、ＬＣＤ表示メモリ２５に記憶し、この記憶された画像データを読み出して直接に（即ち、Ａ−ＣＰＵを介さずに）ＬＣＤパネル２に所定の更新レートで表示させる。このＬＣＤ表示メモリ２５への書き込み時或いはそれからの読み出し時のアクセスは、ＣＰＵの処理によることなく、ハード構成によってダイレクト・メモリ・アクセス（ＤＭＡ）方式により行われる。
【００３８】
また、画像処理コントローラ２７は、ＬＣＤ表示メモリ２５に記憶された画像データを、静止画データでＡ−ＣＰＵ１４Ａに送出する。この静止画データは、送受信部１１を介して通信相手に伝送される。この逆に、通信相手から伝送された静止画データをＬＣＤ表示メモリ２５に記憶させ、ＬＣＤパネル２に表示させる。
【００３９】
また、画像処理コントローラ２７は、Ａ−ＣＰＵ１４ＡからのＬＥＤディスプレイ５用の表示データ、制御信号等をホストＩ／Ｆ２８を介して受けてＬＥＤコントロールレジスタ２６に格納する。この格納された表示データは、ＬＥＤコントロールレジスタ２６から読み出され、信号線２９により直接ＬＥＤコントローラ２４に供給される。この表示データにしたがってＬＥＤディスプレイ５は点灯制御される。
【００４０】
一方、本体部Ｂには、Ａ−ＣＰＵ１４Ａが設けられる。Ａ−ＣＰＵ１４Ａは、従来のＡ−ＣＰＵ１４とは異なり、画像処理用ＬＳＩ２０で処理させる画像処理、例えば撮影画像データの画像調整や、撮影画像データの高速度のレートでの画像の更新等の画像処理を行わない。Ａ−ＣＰＵ１４Ａでは、ＬＥＤディスプレイ５用の表示データ、制御信号等の比較的低速な信号をＬＣＤパネル側部Ａに送出するとともに、ＬＣＤパネル側部Ａからの画像データ（静止画データ）を送受信部１１へ送出し、また、送受信部１１を介して受け取った画像データ（静止画データ）等の信号をＬＣＤパネル側部Ａへ送出するなどの処理を行う。なお、Ａ−ＣＰＵ１４ＡとＬＣＤパネル側部Ａとの間の結合は、バスラインＢｕｓを介して行う構成としても良い。
【００４１】
さて、この図１の折り畳み型携帯電話の動作について説明する。まず、カメラ３により被写体を撮影する場合には、Ａ−ＣＰＵ１４Ａから撮影指示が画像処理コントローラ２７に送られ、カメラ３により撮影が開始される。カメラ３内でディジタルデータに変換された撮影画像データは、画像調整部２２で所要の調整が行われ、ＬＣＤ表示メモリ２５に記憶される。ＬＣＤ表示メモリ２５に記憶された画像データは、読み出されてＬＣＤパネル２に表示される。これらのＬＣＤ表示メモリ２５への記憶やＬＣＤパネル２への表示は、画像処理コントローラ２７の制御の元に行われる。その画像データの更新は、ＬＣＤパネル２でモニタを行うために、ある程度の高速度のレート（例えば、１５フレーム／秒）で行われる。
【００４２】
このカメラ３による撮影、ＬＣＤパネル２への表示において、高速度に更新される画像データの処理は、ＬＣＤ表示メモリ２５、画像処理コントローラ２７等を含む画像処理用ＬＳＩ２０の内部のみで行われる。即ち、Ａ−ＣＰＵ１４Ａは、この画像データの処理の際に、殆ど処理負担を負わないで済む。
【００４３】
この場合、折り畳み部Ｃには、従来のように、カメラからＡ−ＣＰＵへ、及びＡ−ＣＰＵからＬＣＤパネルへと画像データを往復させるための信号線は不要であるから、信号線数が減少でき、折り畳み部Ｃのワイヤハーネスを小さくできる。
【００４４】
次に、カメラ３により撮影され、ＬＣＤパネル２に表示されている画像を通信相手に伝送する場合には、ＬＣＤパネル２に伝送したい画像が表示されたときに、Ａ−ＣＰＵ１４Ａから送信指示信号を画像処理コントローラ２７に送り、その時点の画像データをＡ−ＣＰＵ１４Ａに送り、通信相手に伝送する。この送信される画像は静止画像である。
【００４５】
次に、通信相手から画像データが送られてきた場合には、その旨を画像処理コントローラ２７に通知し、その画像をＬＣＤパネル２に表示する。この受信した画像も静止画像である。
【００４６】
なお、Ａ−ＣＰＵ１４Ａと画像処理コントローラ２７との間での伝送するデータはいずれの方向でも静止画であるとしているが、必ずしも静止画である必要はなく、例えば１０フレーム／ｓ以下の更新レートの低い画像であっても良く、この場合も同様の効果を得ることができる。この点は、以下の説明においても同様である。
【００４７】
このように、ホストＩ／Ｆ２８を介してＡ−ＣＰＵ１４Ａと画像処理コントローラ２７との間での伝送するデータはいずれの方向でも静止画であるから、従来のように、モニタのために高速度のレートで更新される画像を、折り畳み部Ｃのワイヤハーネスを介して伝送する必要がない。したがって、折り畳み部Ｃのワイヤハーネスの容量性負荷によって、消費電力が増加することもない。また、本体部ＢとＬＣＤパネル側部Ａ間で、静止画像データを含むデータを供給する場合にのみ、その間でのデータ送受機能をイネーブルにするから、画像データなどの送受信及び表示を的確に支障なく行うことができる。
【００４８】
また、ＬＥＤディスプレイ５や副ＬＣＤパネル６の表示は、電話の着信などに応じて、着信情報やメール受信、日付、時刻などが、Ａ−ＣＰＵ１４Ａからの指示などに応じて行われる。
【００４９】
また、表示パネルとしては、ＬＣＤ表示パネルを使用することとして説明したが、これに限ることなく、有機Ｅ／Ｌ表示パネルなど他の表示装置を用いて、同様に携帯機器を構成することができる。
【００５０】
次に本発明第二の実施例について図１及び図２に基づき説明する。尚、外観図については図３を例にして説明する。まず、図１については、ＲＡＭで構成され、カメラ画像や固定フレーム画像、着信時のグラフィック画像などをＬＣＤ表示用に記憶するフレームバッファや表示制御メモリとして使用される、画面表示データ記憶手段であるＬＣＤ表示メモリ２５と、着信情報やメール受信や充電状態などを表示するためのＬＥＤ等が配置されているＬＥＤディスプレイ２を制御するためのデータを格納する、報知データ記憶手段であるＬＥＤコントロールレジスタ２６とを備えている。このような構成により、着信時の表示は、ＬＣＤパネル１にグラフィック画像を表示したり、ＬＥＤディスプレイ２の着信用ＬＥＤ（Ｒ，Ｇ，Ｂ）にフルカラーの色調を変化させる（例えば、ＰＷＭ制御やオン・オフ制御など）から、その変化に対応して表示データを更新することになる。
【００５１】
この構成において特長的なところは、ＬＣＤ表示メモリ２５とＬＥＤコントロールレジスタ２６とを、記憶制御において、１つの記憶手段と見なせるようにアドレスを割り付けていることである。言い換えれば、ＬＣＤ表示メモリ２５に記憶される着信時用グラフィック表示画面のための着信画像データのメモリのアドレスと、ＬＥＤコントロールレジスタ２６に記憶される制御データのレジスタのアドレスを、ほぼ連続したアドレスとしていることである。即ち、共通のアドレス空間上で隣接させていることである。
【００５２】
また、画像処理コントローラ２７は、Ａ−ＣＰＵ１４Ａからの着信時のグラフィック画像などＬＣＤパネル１用の画像データ、及びＬＥＤディスプレイ２用の表示データ、制御信号等をホストＩ／Ｆ２８を介して受けて、ＬＣＤ表示メモリ２５及びＬＥＤコントロールレジスタ２６にそれぞれ記憶（格納）する。この記憶された画像データは、ＬＣＤ表示メモリ２５から読み出されて、ＬＣＤパネル１に表示される。また、表示データ等は、ＬＥＤコントロールレジスタ２６から読み出され、信号線２９により直接ＬＥＤコントローラ２４に供給される。この表示データにしたがってＬＥＤディスプレイ２は点灯制御される。
【００５３】
この図１の折り畳み型携帯電話における第２の実施例の動作について説明する。まず、ＬＣＤ表示メモリ２５とＬＥＤコントロールレジスタ２６とは、それぞれ異なる形式の記憶手段であり、通常は、メモリアドレスは一連のアドレス空間となっている。そして、本発明では、表示記憶制御においてほぼ連続したアドレス（空間）となるように、ＬＣＤ表示メモリ２５とＬＥＤコントロールレジスタ２６に対してアドレスを割り付ける。
【００５４】
図２に、ＬＣＤ表示メモリ２５及びＬＥＤコントロールレジスタ２６に対するアドレスの割り付けの例が、示されている。この図２のように、ＬＣＤ表示メモリ２５のアドレスとＬＥＤコントロールレジスタ２６のアドレスとが、同一の形式で、重複しないように割り付けられる。
【００５５】
この例では、アドレス［ｍ＋ｎ］までがＬＣＤ表示メモリ２５に割り付けられ、引き続くアドレス［ｍ＋ｎ＋１］以降がＬＥＤコントロールレジスタ２６に割り付けられている。そして、その中で、ＬＣＤ表示メモリ２５への着信時データがアドレス［ｍ］〜［ｍ＋ｎ］に割り付けられ、そして、ＬＥＤコントロールレジスタ２６への着信時データがアドレス［ｍ＋ｎ＋１］〜［ｍ＋ｎ＋３］までに割り付けられる。
【００５６】
このように、ＬＣＤ表示メモリ２５に記憶される着信時用グラフィック表示画面のための着信画像データのアドレスに引き続いて、ＬＥＤコントロールレジスタ２６に記憶される制御データのアドレスを割り当てている。この割り当てる順番、アドレス値などは任意に設定変更できるものであり、着信時にＬＣＤ表示メモリ２５に記憶されるデータのアドレスと、ＬＥＤコントロールレジスタ２６に記憶されるデータのアドレスとが、共通のアドレス空間上で隣接されていればよい。
【００５７】
なお、着信時のグラフィック画像の大きさは、ＬＣＤ表示パネル１の一部分であることが多いから、この場合にはＬＣＤ表示メモリ２５にも表示される部分に対応した部分のみに着信時データが記憶される。また、ＬＣＤ表示メモリ２５とＬＥＤコントロールレジスタ２６のその他のアドレスには、他の画像データや、制御データなどが記憶される。
【００５８】
これにより、着信時に必要とされるデータを、その記憶される記憶手段に関係なく、少なくともその先頭アドレスを指定することにより一纏まりのデータ群として取り扱うことが可能になる。
【００５９】
さて、この携帯電話において、着信が発生すると、Ａ−ＣＰＵ１４Ａから、着信時のグラフィック画像データと着信時の制御データが、１つのデータ群として順次に画像処理コントローラ２７に送られる。画像処理コントローラ２７では、そのデータ群に付されている開始アドレスを参照して、そのデータ群に含まれるグラフィック画像データをＬＣＤ表示メモリ２５のアドレス［ｍ］〜［ｍ＋ｎ］に記憶させ、アドレスを切り換えることなく残りの着信時の制御データをＬＥＤコントロールレジスタ２６のアドレス［ｍ＋ｎ＋１］〜［ｍ＋ｎ＋３］に記憶させる。
【００６０】
この記憶された着信時データは、ＬＣＤ表示メモリ２５からは画像処理コントローラ２７を介して読み出されて、ＬＣＤコントローラ１ａを介してＬＣＤパネル１に供給される。また、ＬＥＤコントロールレジスタ２６からは直接読み出されて、ＬＥＤコントローラ２４を介してＬＥＤディスプレイ２の着信用ＬＥＤに供給される。
【００６１】
この着信時データは、グラフィック画像や着信用ＬＥＤの色調の所要の変化に合わせるように、Ａ−ＣＰＵ１４Ａから次々と新しいデータに更新される。この更新される着信時データを、ＬＣＤパネル１及びＬＥＤディスプレイ２に供給することによりその画像や表示状態が変わっていく。
【００６２】
そして、着信時のＬＣＤパネル１とＬＥＤディスプレイ２の表示は同期して行われる必要があるが、本発明では着信時のＬＣＤパネル側のグラフィック画像データとＬＣＤパネル及びＬＥＤディスプレイに対する着信時の各々の制御データが、２つの記憶手段にまたがる１つのデータ群として、順次更新されるから、表示を同期させることが、容易に達成できる。この着信時の表示は、着信確認操作がなされた時点で終了する。
【００６３】
また、カメラ３により被写体を撮影する場合には、Ａ−ＣＰＵ１４Ａから撮影指示が画像処理コントローラ２７に送られ、カメラ３により撮影が開始される。カメラ３内でディジタルデータに変換された撮影画像データは、画像調整部２２で所要の調整が行われ、ＬＣＤ表示メモリ２５に記憶される。ＬＣＤ表示メモリ２５に記憶された画像データは、読み出されてＬＣＤパネル１に表示される。これらのＬＣＤ表示メモリ２５への記憶やＬＣＤパネル１への表示は、画像処理コントローラ２７の制御の元に行われる。その画像データの更新は、ＬＣＤパネル１でモニタを行うために、ある程度の高速度のレート（例えば、１５フレーム／秒）で行われる。
【００６４】
このカメラ３による撮影、ＬＣＤパネル２への表示において、高速度に更新される画像データの処理は、ＬＣＤ表示メモリ２５、画像処理コントローラ２７等を含む画像処理用ＬＳＩ２０の内部のみで行われる。即ち、Ａ−ＣＰＵ１４Ａは、この画像データの処理の際に、殆ど処理負担を負わないで済む。
【００６５】
この場合、折り畳み部Ｃには、カメラからＡ−ＣＰＵへ、及びＡ−ＣＰＵからＬＣＤパネルへと画像データを往復させるための信号線は不要であるから、信号線数が減少でき、折り畳み部Ｃのワイヤハーネスを小さくできる。
【００６６】
次に、カメラ３により撮影され、ＬＣＤパネル１に表示されている画像を通信相手に伝送する場合には、ＬＣＤパネル１に伝送したい画像が表示されたときに、Ａ−ＣＰＵ１４Ａから送信指示信号を画像処理コントローラ２７に送り、その時点の画像データをＡ−ＣＰＵ１４Ａに送り、通信相手に伝送する。この送信される画像は静止画像である。
【００６７】
次に、通信相手から画像データが送られてきた場合には、その旨を画像処理コントローラ２７に通知し、その画像をＬＣＤパネル１に表示する。この受信した画像も静止画像である。
【００６８】
このように、ホストＩ／Ｆ２８を介してＡ−ＣＰＵ１４Ａと画像処理コントローラ２７との間での伝送するデータはいずれの方向でも静止画であるから、従来のように、モニタのために高速度のリフレッシュレートで更新される画像を、折り畳み部Ｃのワイヤハーネスを介して伝送する必要がない。したがって、折り畳み部Ｃのワイヤハーネスの容量性負荷によって、消費電力が増加することもない。また、本体部ＢとＬＣＤパネル側部Ａ間で、静止画像データを含むデータを供給する場合にのみ、その間でのデータ送受機能をイネーブルにするから、画像データなどの送受信及び表示を的確に支障なく行うことができる。
【００６９】
なお、以上の説明では、Ａ−ＣＰＵ１４Ａと画像処理コントローラ２７との間での伝送するデータはいずれの方向でも静止画であるとしているが、必ずしも静止画である必要はなく、例えば１０フレーム／ｓ以下の更新レートの低いもしくは伝送速度が遅い画像であっても良い。この画像の更新に合わせてＬＥＤディスプレイ２の表示を制御する場合などにも、異なる形式の記憶手段に記憶される画像データと報知データとをほぼ隣接するアドレスに記憶させるという、本発明の表示記憶制御の手法を同様に適用することができる。そして、この場合にも、アドレスを切り換えないで済む分だけ処理が速くなるので、従来に比べて画像の更新レートを向上させることができ、よりスムースな画像を表示できるようになる。
【００７０】
また、着信報知手段としてバイブレータを用い、そのバイブレータ用のコントロールレジスタのアドレスを、ＬＥＤ用のコントロールレジスタのアドレスに代えてあるいはそれと共に使用して、その振動状態をコントロールするようにしてもよい。
【００７１】
また、表示パネルとしては、ＬＣＤ表示パネルを使用することとして説明したが、これに限ることなく、有機Ｅ／Ｌ表示パネルなど他の表示装置を用いて、同様に携帯電話を構成することができる。
【００７２】
また、折り畳み型携帯電話の例で説明したが、本発明第二の実施例について限れば折り畳み型以外の携帯電話にも同様に適用することができる。この場合には、ＬＥＤディスプレイ２などはＬＣＤパネル１と同じ側に配置される。
【００７３】
また、以上の説明では、カメラ付き携帯電話についてのみ説明したが、カメラを有しないものであっても同様の効果を期待できる。
【００７４】
【発明の効果】
本発明によれば、画像処理機能を集約した画像処理手段を表示部に設けて、画像入力手段と表示器との間の信号転送を、本体部の信号処理装置を介さずに直接に行えるようにしているから、折り畳み部Ｃのワイヤハーネスが小さくでき、また折り畳み部のワイヤハーネスを通過する高速度のデータが少なくなるので、容量性負荷による消費電力を低減することができる。
【００７５】
また、本体部と表示部間で、画像データを含むデータを供給する場合にのみ、その間でのデータ送受を可能にするから、画像データなどの送受信及び表示を支障なく行うことができる。
【００７６】
また、本発明の通信装置によれば、異なる形式の記憶手段に記憶される、着信画像データと着信報知データとを、隣接するアドレスに記憶させるから、制御処理手段はそれらのデータを一連の着信時データとして処理できる。したがって、制御処理手段の処理ステップが、アドレスを切り換える分だけ、従来のものより軽減される。
【００７７】
また、表示パネル手段への着信時のグラフィックなどの画面表示と、着信報知手段への着信時の報知とを、同期して制御することが容易になる。
【００７８】
また、着信報知手段の制御を、制御処理手段から個別に別ルートで制御するのではなく、表示パネル手段に対する制御と同様に行うから、制御処理手段が着信制御のために専有するポート数が少なくなる。
【００７９】
本発明は、図２でいうパネル側部Ａ、本体部Ｂが折り畳み部Ｃの軸方向を中心として開閉する折り畳み式を中心に説明したが、その他にも本体部Ｂとパネル側部Ａとが、連結部を中心に相対的に変位するよう構成された通信端末についても、本発明が開示するのと同様の効果が期待できることは言うまでもない。
例えば、本体部の
キー操作部側におけるキー表面から構成される水平面と略平行に、パネル側部を両者の連結部を中心として回転可能とした構造を有するパネル回転方式の通信端末についても、本発明が開示する特徴、即ち、パネル側部に画像入力手段と、そこからの画像データを受け画像処理し前記表示器に表示画像データを供給する画像処理手段を有する構成を適用した場合、本発明で既に説明した効果と実質的に同様な効果が生じる。
【図面の簡単な説明】
【図１】本発明の実施の形態にかかる折り畳み型携帯電話のシステム構成図。
【図２】複数の記憶手段へのアドレスの割り付けの例を示す図。
【図３】本発明が適用される、折り畳み型携帯電話の外観図。
【図４】従来の折り畳み型携帯電話のシステム構成図。
【図５】従来の携帯電話の別のブロック構成を示す図。
【符号の説明】
Ａ　ＬＣＤパネル側部　Ｂ　本体部　Ｃ　折り畳み部　１　アンテナ　２　主ＬＣＤパネル　２ａ　主ＬＣＤコントローラ　３　カメラ　４　ポジショニングミラー　５　ＬＥＤディスプレイ　６　副ＬＣＤパネル　６ａ　副ＬＣＤコントローラ　１１　送受信部　１２　オーディオ処理部　１３　Ｃ−ＣＰＵ（コミュニケーションＣＰＵ）　１４Ａ　Ａ−ＣＰＵ（アプリケーションＣＰＵ）　１５メモリ　１６　電源　２０　画像処理用ＬＳＩ　２１　カメラＩ／Ｆ　２２　画像調整部　２３　ＬＣＤＩ／Ｆ　２４　ＬＥＤコントローラ　２５　ＬＣＤ表示メモリ　２６　ＬＥＤコントロールレジスタ　２７　画像処理コントローラ　２８　ホストＩ／Ｆ　２９　信号線
【図１】
2004088750.tif 000003
【図２】
2004088750.tif 000004
【図３】
2004088750.tif 000005
【図４】
2004088750.tif 000006
【図５】
2004088750.tif 000007